(57)【要約】【課題】本発明は、色彩と模様を自由に変化させることができる光学カラー模様造影装置に関し、主にその適用例として偏光万華鏡、及び当該偏光万華鏡を作成する教材キッドに関するものである。【解決手段】本発明は、複数の光学的異方性を有する異方性光学素子片を挟んで相対する１対の偏光板を相対的に回転できるようにして２枚の偏光板間の偏光軸の相対的角度を変えることができるようにしたことを特徴とし、さらに光学的異方性の異方性光学素子片も交換可能な構造にしたことを特徴とする。【選択図】  図５
2020021005.tif 000002
【特許請求の範囲】
【請求項１】
透過光の方向に所定の間隔を有して配置された２枚の偏光板を備え、その一対の偏光板の間に光学的異方性を有する異方性光学素子片を配置し、前記一対の偏光板間の偏光軸角度を相対的に変えられるように構成したことを特徴とする光学カラー模様造影装置。
【請求項２】
前記一対の偏光板の間に配置された前記異方性光学素子片の全てを或いは一部を交換可能としたことを特徴とする請求項１記載の光学カラー模様造影装置。
【請求項３】
請求項１記載の前記光学カラー模様造影装置は、偏光万華鏡であり、前記一対の偏光板間の偏光軸を相対的に変えられるように構成したことを特徴とする偏光万華鏡．
【請求項４】
透過光の方向に所定の間隔を有して配置された２枚の偏光板を備え、その一対の偏光板の間に光学的異方性を有する異方性光学素子片を配置し、前記一対の偏光板間の偏光軸角度を相対的に変えられるように、前記一対の偏光板の一方の第１の偏光板を第１の円筒状筐体に設け、他方の第２偏光板を第２の円筒状筐体に設け、２つの筐体は回転方向に摺動できる構造とし、前記一対の偏光板間の偏光軸を相対的に変更可能にしたことを特徴とする偏光万華鏡。
【請求項５】
透過光の方向に所定の間隔を有して配置された一対の偏光板を備え、当該一対の偏光板により、光学的異方性を有する複数の異方性光学素子片を挟んで成る偏光万華鏡であって、一対の偏光板の一方の第１の偏光板を第１の筐体に設け、他方の第２の偏光板を第２の筐体に設け、前記光学的異方性を有する異方性光学素子片を第３の筐体に設け、第３の筐体は第１の筐体と第２の筐体の間に配して回転方向に摺動できる構造とし、第３の筐体と第２の筐体もそれぞれ回転方向に摺動できる構造とし、前記一対の偏光板間の偏光軸を相対的に変えられるようにしたことを特徴とする偏光万華鏡。
【請求項６】
前記第３の筐体には、異方性光学素子片を交換できるように構成したことを特徴とする請求項５記載された偏光万華鏡。
【請求項７】
請求項３乃至請求項６の内の一に記載された偏光万華鏡を作成するために必要な部材として、三角柱状鏡体、第１の円筒状筐体、第２の円筒状筐体、第１の偏光板、第２の偏光板、光学的異方性を有する異方性光学素子片からなる偏光万華鏡組み立て教材キット。
【発明の詳細な説明】
【技術分野】
【０００１】
本発明は、透過光により模様と色彩を自由に変化させることができる光学カラー模様造影装置に関するものであり、特に、その光学カラー模様造影装置を偏光万華鏡に適用してカラー模様を造影する光学装置に関するものである。また、本発明は、偏光万華鏡組み立て教材キットに関するものである。
本発明において「造影」とは、その装置内において、光により模様及び色彩を形成することを含み、また、その造影装置により、透過光により装置外に模様及び色彩を形成することを含む。また、本願明細書においては、各添付図面に表記の左側を「前方」、右側を「後方」として表現している。
【背景技術】
【０００２】
特許文献１、特許文献２及び特許文献３には、２枚の偏光板（偏光素子）を設け、両方の偏光板の間に光学的異方性を有する薄片（複屈折性を持つ複数個の小片）を自由に配置した偏光万華鏡が開示されている。
【０００３】
一般的な万華鏡は着色された多数の小片を鏡筒の１端の外周部に散在させ、これを鏡筒の中に設けた反射鏡を隔てて覗き窓孔から肉眼で覗き、鏡筒を回転させることで小片が動くことにより次々に変わる模様を楽しむ装置であるが、偏光万華鏡はこの一般的な万華鏡とは異なり一対の偏光板と光学的異方性を有する小片の組み合わせで多様な色と模様が楽しめることに特徴があり、本発明はこの偏光万華鏡に関するものである。
【先行技術文献】
【特許文献】
【０００４】
【特許文献１】実開昭６０−２３８３２号公報
【特許文献２】実開昭５０−３７７００号公報
【特許文献３】実開昭５３−１０１８９５号公報
【非特許文献】
【０００５】
【非特許文献１】「偏光で学ぼう（偏光万華鏡？）」産総研（国立研究開発法人産業技術総合研究所）サイエンス・タウンラボ科学実験コーナーURL: https://www.aist.go.jp/science_town/dream_lab/dream_lab_14/dream_lab_14_01.html
【発明の概要】
【発明が解決しようとする課題】
【０００６】
本発明は、光学模様と色彩を自由に変化させることができる光学カラー模様造影装置を提供するものであり、具体的には、偏光万華鏡の模様と色彩の変化を無限に楽しめる万華鏡を提供することを目的とし、さらには、当該偏光万華鏡の組み立て教材キットを提供するものである。
【０００７】
図１１は、先行特許技術文献等に開示されている従来公知の偏光万華鏡の主要部品を示す図で、1対の偏光板１１、１２、光学異方性を有する光学素子片２（以下、単に「異方性光学素子片」という）、三角柱状の鏡３、鏡筒としての円筒状筐体４及び覗き孔５を示し、図１２（Ａ）は先行特許技術文献に開示されている偏光万華鏡の１実施例の透視外観図で、図１２（Ｂ）はその断面図である。異方性光学素子片２を挟んで偏光板１１、１２が配置され、偏光板１２の後ろに三角柱状の鏡３が円筒状筐体４の中に１体として構成されている。
【０００８】
偏光万華鏡の原理は、［非特許文献１］の産総研サイエンス・タウンラボ科学実験コーナー「偏光で学ぼう（偏光万華鏡？）」に詳しく解説されているので、本特許明細書では詳しく述べることは省略するが、第１の偏光板１１に入射した透過光はこの異方性光学素子片２を通って第２の偏光板１２を経ると異方性光学素子片２の並び具合で模様が決まり、２枚の偏光板間の偏光軸角度で色彩のベースが決まりカラー模様が決まる。このカラー模様を三角柱状の鏡３で反射した光を覗き孔５から見るものである。第１の円筒状筐体４を回転させると異方性光学素子片２が転がって異方性光学素子片２の並び具合が変化するので、万華鏡として刻々と変化するカラー模様を楽しむことができる。
【０００９】
図１２に示す図は、先行特許技術文献に開示されている偏光万華鏡の構成図であり、一対の偏光板が円筒状筐体４に固定されているので、円筒を回転させても２枚の偏光板間の偏光軸は変わらず色彩ベースは変えられない。それに対して、本発明においては、この２枚の偏光板間の偏光軸を相対的に自由に変えられるように構成することにより、色彩ベースを多様に変えられるとの知見を得ることによって、もっと多様なカラー模様を実現することができる光学カラー模様造影装置としての偏光万華鏡を開発できたものである。
【課題を解決するための手段】
【００１０】
本発明は、透過光の方向に所定の間隔を有して配置された２枚の偏光板を備え、その一対の偏光板の間に複数の異方性光学素子片を自由移動が可能なように配置した光学カラー模様造影装置であり、前記一対の偏光板間の偏光軸角度を相対的に変えられる構造とし、さらに複数の異方性光学素子片も、全てを或いは一部を交換可能な構造にしたことを特徴とする。より具体的には、偏光万華鏡として適用された光学カラー模様造影装置を特徴とする。
【００１１】
本発明の光学カラー模様造影装置は、透過光の方向に所定の間隔を有して配置された２枚の偏光板を備え、その一対の偏光板の間に複数の異方性光学素子片を自由移動が可能なように配置し、前記一対の偏光板間の偏光軸角度を相対的に変えられるように構成したことを特徴とする。
【００１２】
さらに、本発明の光学カラー模様造影装置は、前記透過光の方向に所定の間隔を有して配置された一対の偏光板の間に配置された前記異方性光学素子片の全てを或いは一部を交換可能としたことを特徴とする。
【００１３】
本発明の偏光万華鏡は、前記光学カラー模様造影装置は偏光万華鏡であり、前記一対の偏光板間の偏光軸を相対的に変えられるようにしたことを特徴とする。
【００１４】
本発明の偏光万華鏡は、所定の間隔を有して配置された２枚の偏光板を備え、その一対の偏光板の間に複数の異方性光学素子片を自由移動が可能なように配置し、前記一対の偏光板間の偏光軸角度を相対的に変えられるように、前記一対の偏光板の一方の第１の偏光板を第１の円筒状筐体に設け、他方の第２の偏光板を第２の円筒状筐体に設け、２つの筐体は回転方向に摺動できる構造とし、前記一対の偏光板間の偏光軸を相対的に変更可能に構成したことを特徴とする。
【００１５】
本発明の偏光万華鏡は、透過光の方向に所定の間隔を有して配置された２枚の偏光板を備え、一対の偏光板により複数の異方性光学素子片を挟んで成る偏光万華鏡であって、一対の偏光板の一方の第１の偏光板を第１の筐体に設け、他方の第２の偏光板を第２の筐体に設け、前記光学的異方性を有する複数の異方性光学素子片を第３の筐体に設け、第３の筐体は第１の筐体と第２の筐体の間に配して回転方向に摺動できる構造とし、第３の筐体と第２の筐体もそれぞれ回転方向に摺動できる構造とし、前記一対の偏光板間の偏光軸を相対的に変えられるようにしたことを特徴とする。
【００１６】
さらに、本発明の偏光万華鏡は、前記第３の筐体には、異方性光学素子片の全て或いは一部を交換できるように構成したことを特徴とする。
【発明の効果】
【００１７】
従来の偏光万華鏡は、２枚の偏光板の偏光軸の角度関係で固定的に決まる色彩ベースのカラー模様となり、その際の模様は、異方性光学素子片の並び具合により一様に決まるものである。
それに対して、本発明の光学カラー模様造影装置は、透過光の方向に所定の間隔を有して配置された一対の偏光板の一方を相対的に回転させる等して、２枚の偏光板間の偏光軸の相対的な角度を変えることにより、模様は同じでありながら色彩のベースが七色の虹のように赤色系統から青色系統の間で変化させることができる。それにより、異方性光学素子片の並び具合による模様の変更と、２枚の偏光板間の偏光軸の相対的な角度による色彩の変化の組み合わせで、多種多彩なカラー模様の造影を楽しむことができる。
また、異方性光学素子片も、全部或いは一部を、交換可能に構成したことでさらにより多くの模様を作り出すことができる。つまり、無限ともいえるカラー模様を実現できる効果がある造影装置を提供することが可能である。
【図面の簡単な説明】
【００１８】
【図１】本発明の偏光万華鏡の第１の実施例の透視外観と断面を示す図
【図２】本発明の偏光万華鏡の第１の実施例の利便性改善を説明するための図
【図３】本発明の偏光万華鏡の第１の実施例の利便性を改善した偏光万華鏡の透視外観と断面を示す図
【図４】本発明の偏光万華鏡の第２の実施例の透視外観と断面を示す図
【図５】本発明の偏光万華鏡の第２の実施例の利便性を改善した実施例の透視外観と断面を示す図
【図６】本発明の偏光万華鏡の第２の実施例の主要部分の他の例を示す図
【図７】本発明の偏光万華鏡の第２の実施例の主要部分の他の例を示す図
【図８】本発明の偏光万華鏡を作成するための教材キットを構成する部品構成を示す図
【図９】本発明の偏光万華鏡の第３の実施例として、異方性光学素子片２を固定パターンの光学素子２３に代えることを説明するための図
【図１０】本発明の光学カラー模様造影装置の実施例を示す図
【図１１】先行特許文献示されている偏光万華鏡の主要構成部品を示す図
【図１２】先行特許文献示されている偏光万華鏡の透視外観と断面を示す図
【発明を実施するための形態】
【実施例１】
【００１９】
図１は、透過光の方向に所定の間隔を有して配置された２枚の偏光板１１、１２を相対的に回転摺動可能な構成を採用して、両者間の偏光軸を自由に変えられるように構成した本発明の光学カラー模様造影装置としての偏光万華鏡の第１の実施例を示す図であり、（Ａ）は透視外観図、（Ｂ）はその断面図、（Ｃ）は覗き穴５側（後方）から見た偏光万華鏡を示す。本発明の実施例１の偏光万華鏡は、第１の円筒状筐体６が、第２の円筒状筐体４対して、透過光に沿った長手方向及び各円筒状筐体の回転方向に自由に相対的移動を可能にテレスコピック状に嵌めこまれている。第１の円筒状筐体６の前端部には第１の偏光板１1を配置し、第２の円筒状筐体４の前端部には第２の偏光板１２を配置しており、第１の偏光板１1と第２の偏光板１２の間には、複数の異方性光学素子片２を収納できる空間１２を形成している。図１では、この第１の円筒状筐体６の内周は、第２の円筒状筐体４の外周に回転摺動できる大きさとしている。第２の円筒状筐体４には、内面を鏡面とした三角柱状の鏡体３を収納しており、この第２の円筒状筐体４の前方端面には、第２の偏光板１2を組み付けられており、図１（Ｃ）の（１）で示す矢印方向に、第１の円筒状筐体６を第２の円筒状筐体４に対して、相対的に回転・摺動させることができ、第１の偏光板１1と第２の偏光板１2間の偏光軸角度を相対的に変えることができる。その際、空間１２内の複数の異方性光学素子片２は、何等の規制もなく挿入されているものであるので、空間１２内で自由に動き、複数の異方性光学素子片２の並び具合で刻々と模様が変化してカラー模様を形成する。
【００２０】
第１の円筒状筐体６を一方の手に持って固定し、それに対して第２の円筒状筐体４を他方の手に持って回転・摺動させて、複数の異方性光学素子片２の並び具合を固定した状態で第１の偏光板１1と第２の偏光板１２の間の偏光軸角度のみが相対的に変わり、色彩ベースが赤色系統から青色系統の間で変化し、模様は同じながら色彩のみが変わるカラー模様を楽しむこともできる。偏光板１1と第２の偏光板１２の間の偏光軸角度は、第１の円筒状筐体６を固定して第２の円筒状筐体４を３６０°回転させて変更するものであり、１周（３６０°）回転させると回転前のカラー模様が再現できる。
【００２１】
図２は、図１の実施例１の第１の円筒状筐体６を交換可能とする構造を図示したものである。図１の構造では、第１の円筒状筐体６を第２の円筒状筐体４から取り外すと異方性光学素子片２は転げ落ちてしまうが、図２の第１の円筒状筐体６には、第１の偏光板１1の後ろに透明な平板状の光学素子平板７（以下、「光学素子平板」という）を配して、閉じられた空間１２を形成することにより、その欠点を改善したものである。このように構成することにより、図２の矢印方向に第１の円筒状筐体６を第２の円筒状筐体４に差し込むと、図３のようになり図１と同じ構成となる。
【実施例２】
【００２２】
図４は、本発明の光学カラー模様造影装置としての偏光万華鏡の第２の実施例を示す図であり、（Ａ）は透視外観図、（Ｂ）はその断面図、及び（Ｃ）は覗き穴５から見た偏光万華鏡を示す。本発明の第２の実施例の偏光万華鏡は、第１の円筒状筐体６が、第２の円筒状筐体４対して長手方向及び回転方向に自由に相対的移動を可能にテレスコピック状に嵌めこまれており、さらに、第３の円筒状筐体８が、第１の円筒状筐体６対して、長手方向及び回転方向に自由に相対的移動を可能にテレスコピック状に嵌めこまれている。第１の偏光板１1は、新たな第３の円筒状筐体８に収納され、第１の円筒状筐体６の前面には、図１の第１の偏光板１1に代えて、透明な平板状の光学素子平板７２を用い、複数の異方性光学素子片２を第１の円筒状筐体６に形成された空間１２内に収納している。図示の実施例では、第３の円筒状筐体８の内周は、第１の円筒状筐体６の外周に摺動できる大きさとし、第１の円筒状筐体６の内周は、第２の円筒状筐体４の外周に摺動できる大きさとしている。
【００２３】
第２の円筒状筐体４の前方端面には第２の偏光板１2を組付けており、図４（Ｃ）に示す矢印（２）方向に第３の円筒状筐体８を回転させると、第１の偏光板１1と第２の偏光板１2の間の偏光軸角度のみを相対的に変えることができる。この第２の実施例では、第３の円筒状筐体８及び第２の円筒状筐体６は、夫々独立して摺動できるので、第２の円筒状筐体６を図４（Ｃ）の矢印（１）のように回転させると、複数の異方性光学素子片２の並びが変わることで模様のみを変えることができ、かつ、第３の円筒状筐体８のみを回転させることにより、一対の偏光板１1と１２の間の偏光軸角度を相対的に変えることになるので、色彩ベースを独立に変えることになるので、全体として、多彩なカラー模様を覗き穴５から見ることができる。
【００２４】
図５は、図４の実施例において、複数の異方性光学素子片２を交換できるようにした他の実施例を示す図である。図５（Ａ）は透視外観図、（Ｂ）はその断面図を示す。第１の円筒状筐体６の中の異方性光学素子片２を取り換えることができれば、更に模様の変化を増やすことができるので、図４の第１円筒状筐体６の後方に、図２で示したと同様に、透明な平板状の光学素子平板７１を入れている部分が図４の構成と異なる。このように構成すると、図６に示すように、複数の異方性光学素子片２を形や大きさの異なる異方性光学素子片２２を収納する新たな円筒状筐体６２を別に用意することで、第１の円筒状筐体６を別の新たな円筒状筐体６２に交換することができ、更に異なる模様を楽しむことができる。本発明の偏光万華鏡組立教材キットとして、別の新たな円筒状筐体６２は、複数個の円筒状筐体６を用意することもできる。
【実施例３】
【００２５】
図７は、第１の円筒状筐体６の円周状にスリット９を設け、複数の異方性光学素子片２を自由に取替えることができるように構成した実施例であり、（Ａ）は透視外観図、（Ｂ）は断面図を示す。つまり、透明な平板状の光学素子平板７２を、第１の円筒筒体６に対して固定した透明な平板状の光学素子平板７１から間隔を空けて設け、第１の円筒筒体６にスリット９を介して、矢印方向で出し入れできるようにしたので、光学素子平板７１と光学素子平板７２との間の空間部に収容した複数の異方性光学素子片２の形及び大きさが異なる新たな組み合わせの複数の異方性光学素子片２２のようなものに自由に取替えることができるので、いくつかの第１の円筒状筐体６を必要とせずとも、より多くのカラー模様を造り出すことができる。その際は、偏光万華鏡組立教材キットとして、複数の異方性光学素子片２２を用意することができる。
【００２６】
以上の本発明の説明では円筒状筐体６を回転させると筐体内の空間１２内で異方性光学素子片２（または２２）が転がり、異方性光学素子片２（または２２）の並び具合で模様が決まると説明した。しかし、図１、図３及び図５、図６の実施例の偏光万華鏡で実際に覗き穴５から見ると、異方性光学素子片２（または２２）の並び具合が変わった状態から、次に、異方性光学素子片２（または２２）の並び具合が変わるまでの間の安定した状態においても、円筒状筐体６を回転させるとカラー模様が刻々と変わる、つまり、異方性光学素子片２（または２２）の並び具合が変わらなくてもカラー模様が変化することを確認した。
【００２７】
このことから、本発明者等は、偏光万華鏡でのカラー模様の造影は、異方性光学素子片２（または２２）の並び具合で模様が変わり、一対の偏光板間の偏光軸の相対的な角度で色彩が変わるという単純なメカニズムではなく、異方性光学素子片２（または２２）の並び具合で決まる幾何学的な模様のベースに加え、偏光板１１と偏光板１２の偏光特性による光学的な３次元的相互作用により、偏光板１１を通った光の波長は異方性光学素子片２（または２２）の通過経路を経て偏光板１2を通すと色のベクトル合成作用が働き、カラー模様が刻々と変わることの知見を得た。
【００２８】
その結果、図３の実施例における異方性光学素子片２（または２２）を光学的異方性持った素子片を組み合わせて作った図９（Ａ）のような固定パターンの異方性光学素子片２３に代えても、第１の円筒状筐体６を回転させると、全く異なるカラー模様が刻々と変わるとの知見が得られた。図９（Ｂ）は（Ａ）のような固定パターンの異方性光学素子片２３を図３の実施例に適用した円筒状筐体６の断面図であり、図９（Ｃ）は固定パターンの異方性光学素子片２３は転がり出ることはないので、同図（Ｂ）の透明な平板状の光学素子平板７１を削除した断面図である。光学異方性を持った固定パターンの異方性光学素子片２３でも第１の円筒状筐体６を回転させると、固定パターン模様の制限があるが、あたかも図３の実施例での異方性光学素子片２（または２２）を転がしたと似たような多様なカラー模様を得ることができる。
この光学的異方性を有する固定パターンの異方性光学素子片２３を本発明の図５、図６、図７の実施例にも適用できることは言うまでもない。
【００２９】
以上説明した本発明の偏光万華鏡は、自然光は七色のすべての色の集まりであるという性質や特性を理解する上で貴重な教材と言える。図８に例示するような、一対の偏光板、複数の光学異方性を有する異方性光学素子片、第１の円筒状筐体、第２の円筒状筐体、第３の円筒状筐体、三角状筐体、１つ以上の光学素子平板、覗き穴部材を部材キットとして用意すれば簡単に本発明による実施例３の万華鏡を作成することができる。
図８では、本発明による実施例３の万華鏡を作成するに必要な部材単位でキットを示したが、偏光板１１と第３の円筒状鏡筒８を一体のサブアセンブリーとしていてもよく、第１の鏡筒６と平板７１を一体のサブアセンブリーとしていてもよい。また図８には示していないが、各鏡筒の見栄えをよくする飾り紙他必要な補助部材はキットに含めればよいことは言うまでもない。
【００３０】
以上で、本発明を偏光万華鏡に適用した実施例で具体的に説明したが、本発明の本質的な発明思想は、一対の偏光板間に異方性光学素子片を挟んで、一対の偏光板間の偏光軸の相対角度を変えられるようにして多彩なカラー模様を造り出して造影することにあり、万華鏡の実施例は、１つのカラー模様を三角柱状の鏡の反射作用を利用して万華鏡内に造影して見せる本発明の一適用例であって本発明の適用用途は万華鏡に限られるものではない。
【００３１】
図１０は、本発明の光学カラー模様造影装置を投影装置に適用した例を示す。本投影装置の筐体構造は、万華鏡と同じく円筒状を形成した第１の円筒状筐体６、第２の円筒状筐体４及び第３の円筒状筐体８から構成しているが、円筒形状に限るものではなく、適当な多角形（三角形を含む）により構成することができる。
【００３２】
本実施例は、第１の偏光板１1を収納する第３の円筒状筐体８、複数の異方性光学素子片２を収納する第１の円筒状筐体６、及び第２の偏光板１２を収納する第２の円筒状筐体４の構成は、偏光万華鏡の実施例と同様な構成であるが、内部に造影する万華鏡ではないので、第２の円筒状筐体４内には三角柱状の鏡体３が無い装置として構成している。この実施例の投影装置は、光源１０を備えており、光源１０の光をこの装置に投射すると、その透過光は、第１の偏光板１１、複数の異方性光学素子片２、第２の偏光板１2を通って、カラー模様がスクリーン（または壁面）１１に投射される。
このような装置の構成により、複数の異方性光学素子片２の並び具合及び第１の偏光板１１と第２の偏光板１２間の偏光軸角度を相対的に変えることで、スクリーン１１に投影されるカラー模様は多彩に変化することになる。使用態様としては、このような構成の投影装置を部屋に据え、光源１０を中心とした円周上でこの投影装置を回転するようにすれば、多様な色彩文様が部屋中を回転しながら投影され、刻々と変化するカラー模様を投影するミラーボールのような装置への展開も考えられる。なお、本実施例の部材の符号は、他の実施例のものに対応して付している。
【符号の説明】
【００３３】
１１  第１の偏光板
１２  第２の偏光版
２  光学的異方性を有する光学素子片（「異方性光学素子片」）
２２  異なる新たな光学的異方性を有する光学素子片
２３  光学的異方性を有する固定パターンの光学素子片（「固定パターン光学素子片」）
３  三角柱状鏡体
４  第２の円筒状筐体
５  覗き穴
６、６２  第１の円筒状筐体
７１、７２  透明な平板状光学素子（第１及び第２の光学素子板）
８  第３の円筒状筐体
９  スリット
１０  光源
１１  スクリーン（または壁面）
１２  空間
【図１】
2020021005.tif 000003
【図２】
2020021005.tif 000004
【図３】
2020021005.tif 000005
【図４】
2020021005.tif 000006
【図５】
2020021005.tif 000007
【図６】
2020021005.tif 000008
【図７】
2020021005.tif 000009
【図８】
2020021005.tif 000010
【図９】
2020021005.tif 000011
【図１０】
2020021005.tif 000012
【図１１】
2020021005.tif 000013
【図１２】
2020021005.tif 000014